(57)【要約】【課題】摺動部での摩擦抵抗を低減し、モータの耐久性が向上する支持台を提供することを目的とする。【解決手段】支持台１は、上部に上面開口１４を有した本体ケース３と、本体ケース３の上部に回動自在に設けられた回動体４と、本体ケース３内に設けられた回動体４を回動するモータ２１とを備えている。回動体４は、送風機２を支持する支持部５と、支持部５の下部から下方に延びた軸部１２と、回動体４の回動軸と同軸上に中心を有する円周上に支持部の下部から下方へ突出した複数の突起部３０とを備え、軸部１２は、第１の軸受け部２９に回動自在に支持されている。第１の軸受け部２９は、上面開口１４内を上下方向へ移動可能に設けられ、複数の突起部３０と本体ケース３とが接触することを特徴とする。【選択図】図６
2018003637.tif 000002
【特許請求の範囲】
【請求項１】
送風機を支持する支持台であって、
前記支持台は、
上部に上面開口を有した本体ケースと、
前記本体ケースの上部に回動自在に設けられた回動体と、
前記本体ケース内に設けられた前記回動体を回動するモータとを備え、
前記回動体は、
前記送風機を支持する支持部と、
前記支持部の下部から下方に延びた軸部と、
前記回動体の回動軸と同軸上に中心を有する円周上に前記支持部の下部から下方へ突出した複数の突起部とを備え、
前記軸部は、
第１の軸受け部に回動自在に支持され、
前記第１の軸受け部は、
前記上面開口内を上下方向へ移動可能に設けられ、
複数の前記突起部と前記本体ケースとが接触することを特徴とする支持台。
【請求項２】
前記第１の軸受け部と前記上面開口との間には隙間を備えたことを特徴とする請求項１に記載の支持台。
【請求項３】
前記上面開口は、
中心軸が上下方向に延びた円筒形状で、
前記第１の軸受け部は、
環状のベアリングで、
前記上面開口の内径は、
前記ベアリングの外径より大きいことを特徴とする請求項２に記載の支持台。
【請求項４】
前記送風機は、
モータ部と、
前記モータ部によって回転する羽根部と、
前記モータ部の回転数を制御する制御部とを有し、
前記制御部は、
第１の回転数と、
前記第１の回転数より大きい第２の回転数と、
前記第２の回転数より大きい第３の回転数と、
前記第３の回転数より大きい第４の回転数とを備え、
前記制御部は、
ランダムに前記モータ部の前記回転数を変化させる場合には、
前記回転数を増加させるときに、
前記第１の回転数からは前記第２の回転数へ変化させ、
前記第２の回転数からは前記第４の回転数へ変化させ、
前記回転数を減少させるときに、
前記第４の回転数からは前記第３の回転数を介し前記第２の回転数へ変化させ、
前記第２の回転数からは前記第１の回転数へ変化させることを特徴とする請求項１から３のいずれかに記載の支持台。
【発明の詳細な説明】
【技術分野】
【０００１】
本発明は、例えば、送風により清涼感を与えたり空間内の空気循環を促したりする送風機を支持する支持台に関するものである。
【背景技術】
【０００２】
従来この種の支持台は、支持台の上部に送風機が置かれ、支持台の回動により送風機が回動し送風方向を変えるものが知られていた（例えば特許文献１参照）。
【０００３】
支持台は、モータを備えた本体ケースと、本体ケースの上方にモータによって回動する回動体とを備えている。回動体の上部には、球形の送風機を備えていた。
【先行技術文献】
【特許文献】
【０００４】
【特許文献１】特開２０１４−００５７８７号公報
【発明の概要】
【発明が解決しようとする課題】
【０００５】
このような従来の支持台においては、支持台上部の回動体に送風機が置かれ、モータによって回動体が回動する。回動体が回動することにより送風機も回動し、送風方向が変化する。回動体が、回動軸上に配置された軸部で支持されている場合には、送風機の重心が回動体の回動軸上から外れると、回動体が傾き、回動体が傾いた状態で回動すると、がたつきが発生するという課題を有していた。
【０００６】
そこで本発明は、回動時に回動体が傾くことを抑制し、がたつきを低減する支持台を提供することを目的とする。
【課題を解決するための手段】
【０００７】
上述の目的を達成するために、本発明は、送風機を支持する支持台であって、前記支持台は、上部に上面開口を有した本体ケースと、前記本体ケースの上部に回動自在に設けられた回動体と、前記本体ケース内に設けられた前記回動体を回動するモータとを備え、前記回動体は、前記送風機を支持する支持部と、前記支持部の下部から下方に延びた軸部と、前記回動体の回動軸と同軸上に中心を有する円周上に前記支持部の下部から下方へ突出した複数の突起部とを備え、前記軸部は、第１の軸受け部に回動自在に支持され、前記第１の軸受け部は、前記上面開口内を上下方向へ移動可能に設けられ、複数の前記突起部と前記本体ケースとが接触することを特徴とし、これにより所期の目的を達成するものである。
【発明の効果】
【０００８】
本発明に係る送風装置によれば、送風機を支持する支持台であって、前記支持台は、上部に上面開口を有した本体ケースと、前記本体ケースの上部に回動自在に設けられた回動体と、前記本体ケース内に設けられた前記回動体を回動するモータとを備え、前記回動体は、前記送風機を支持する支持部と、前記支持部の下部から下方に延びた軸部と、前記回動体の回動軸と同軸上に中心を有する円周上に前記支持部の下部から下方へ突出した複数の突起部とを備え、前記軸部は、第１の軸受け部に回動自在に支持され、前記第１の軸受け部は、前記上面開口内を上下方向へ移動可能に設けられ、複数の前記突起部と前記本体ケースとが接触することを特徴とするものである。
【０００９】
このように、第１の軸受け部は、上面開口内を上下方向へ移動可能に設けられ、支持部が上下方向へ移動するので、複数の突起部と本体ケースとが接触し、回動時の回動体の傾きを抑制し、がたつきを低減する。
【図面の簡単な説明】
【００１０】
【図１】本発明の実施の形態１に係る送風機と支持台の外観図
【図２】同支持台の外観図
【図３】同支持台の断面図
【図４】同支持台の分解図
【図５】同支持台の断面図
【図６】同支持台の分解断面斜視図
【図７】同支持台の部分断面図
【図８】同送風機と支持台の外観図
【図９】同送風機の機能構成を示す図
【発明を実施するための形態】
【００１１】
（実施の形態１）
以下、添付図面を参照して、本発明の実施の形態につき説明し、本発明の理解に供する。
【００１２】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１３】
以下、本発明の実施の形態１に係る支持台について説明する。
【００１４】
図１は、本発明の実施の形態１に係る送風機と支持台の外観図である。図２は、本発明の実施の形態１に係る支持台の外観図である。
【００１５】
図１、２に示すように、支持台１の上部には、送風機２が置かれている。支持台１は、支持台１の下部には本体ケース３を備え、支持台１の上部には回動体４を備えている。回動体４は、本体ケース３の上において本体ケース３の下面と平行した面に対して回動自在に設けられている。回動体４の中央から中継コード２６が延び、本体ケース３の側面から電源コード２０が延びている。電源コード２０と中継コード２６とは、電気的に接続されている。
【００１６】
図３は、本発明の実施の形態１に係る支持台の断面図である。図４は、本発明の実施の形態１に係る支持台の分解図である。
【００１７】
図３、４に示すように、回動体４は、送風機２を支持する支持部５と、支持部５の下部に固定された摺動部６とを備えている。
【００１８】
支持部５は、上方が開口した椀形状で、略円板形状の底板７と、底板７の周縁部から上方へ突出した凸部８とを備えている。底板７の中央には孔９を備え、孔９の下方には孔９の開口縁から下方に延びた一部が切り欠かれた筒形状の筒部１０を備えている。
【００１９】
摺動部６は、支持部５の底面に沿う上方が開口した椀形状で、中央には孔１１を備えている。摺動部６は、孔１１の開口縁から下方に延びた筒形状の軸部１２を備えている。支持部５の底面に摺動部６を固定すると、摺動部６の軸部１２内に、支持部５の筒部１０が入り、摺動部６の軸部１２の中心軸と、支持部５の筒部１０の中心軸とが同軸上に配置される構成である。
【００２０】
本体ケース３は、上面１３と下面（図示せず）が塞がれた略円筒形状で、下面から上面１３に向かうにつれて側面は内方へ傾斜する形状である。本体ケース３の上面１３の面積は下面の面積より小さく、円形状の上面１３の中央には、円形の上面開口１４を設けている。
【００２１】
上面開口１４には、円環形状のベアリング１５が、回転軸が上下方向となるように装着されている。ベアリング１５内には、回動体４の摺動部６から延びた軸部１２が嵌り、回動体４が本体ケース３の下面と平行した面に対して回動自在に支持される。
【００２２】
本体ケース３の側面には、円形の側面開口１６を設けている。側面開口１６からは、回転式のスイッチ１７のつまみ部１８が突出している。本体ケース３の側面下部から、後述する基板部１９と電気的に接続された電源コード２０が、本体ケース３の外方へ延びている。
【００２３】
図５は、本発明の実施の形態１に係る支持台の断面図である。
【００２４】
図３、５に示すように、本体ケース３内には、基板部１９と、モータ２１と、第１の歯車２２と、第２の歯車２３とを備えている。
【００２５】
基板部１９は、平板形状で、一方側の平面が側面開口１６に対向するように本体ケース３内に設けられている。一方側の平面には、側面開口１６に対向するように回転式のスイッチ１７が、固定されている。スイッチ１７は、基板部１９の一方側もしくは他方側のどちらか一平面、もしくは両平面に形成された導体パターン（図示せず）と電気的に接続されている。
【００２６】
スイッチ１７には、スイッチ１７から側面開口１６へ延びる棒状のスイッチシャフト２４を備えている。このスイッチシャフト２４は、スイッチ１７に対して回動し、スイッチシャフト２４の先端には回転軸は、側面開口１６の中心軸上に配置されている。スイッチシャフト２４には、つまみ部１８が装着され、つまみ部１８は側面開口１６から本体ケース３外へ突出している。
【００２７】
モータ２１は、本体ケース３内に回転軸２５が上下方向に向くように設けられ、回転軸２５には第１の歯車２２が固定されている。モータ２１は、第１の歯車２２が第２の歯車２３と組み合うように本体ケース３内の側面寄りに配置されている。モータ２１は、基板部１９の導体パターンと電気的に接続されている。
【００２８】
第２の歯車２３は、回動体４から延びた軸部１２に装着され、回動体４の回転軸上に、第２の歯車２３の回転中心が配置されている。第２の歯車２３の直径は、第１の歯車２２の直径より大きい。なお、第１の歯車２２および第２の歯車２３の一例は、樹脂材料で成型された平歯車である。
【００２９】
以上の構成の支持台の動作を説明する。つまみ部１８でスイッチ１７を操作すると、電源コード２０からモータ２１へ電圧が印加され、モータ２１が回動する。モータ２１が回動すると、第１の歯車２２が回動し、第１の歯車２２と組み合わさった第２の歯車２３も回動する。第２の歯車２３が回動すると、摺動部６の軸部１２を介して、送風機２を支持した回動体４が回動する。これにより支持台１の上に置かれた送風機２を回転させることができ、の送風方向を変化させることができる。
【００３０】
図６は、本発明の実施の形態１に係る支持台の分解断面斜視図である。図７は、本発明の実施の形態１に係る支持台の部分断面図である。
【００３１】
図６、７に示すように、回動体４は、送風機２を支持する支持部５と、支持部５の下部に固定された摺動部６とを備えている。摺動部６は、摺動部６から下方に延びた軸部１２と、回動体４の回動軸と同軸上に中心を有する円周上に支持部の下部から下方へ突出した複数の突起部３０とを備えている。複数の突起部３０の突出寸法は、実質的に同じである。
【００３２】
本実施の形態における特徴は、軸部１２が、第１の軸受け部２９に回動自在に支持され、第１の軸受け部２９は、上面開口１４内を上下方向へ移動可能に設けられている点である。具体的には、軸部１２は、中心軸が上下方向に延びた円筒形状であり、第１の軸受け部は、中心軸が上下方向に延びた環状のベアリング１５である。軸部１２とベアリング１５とは、締まり嵌めである。ベアリング１５の孔の内面に、軸部１２の外面が嵌り、軸部１２が第１の軸受け部２９に回動自在に支持されている。
【００３３】
一方、上面開口１４は、中心軸が上下方向に延びた円筒形状で、上面開口１４の内径は、ベアリング１５の外径より大きい。上面開口１４と、ベアリング１５とは、すきまはめの関係である。すなわち、第１の軸受け部２９と上面開口１４との間には隙間３１を有しており、突起部３０の下端が、本体ケース３と接触する位置まで第１の軸受け部２９と共に支持部５が上下に移動することが可能である。
【００３４】
これにより、支持部５が上下方向へ移動可能なので、支持部５の下部から下方へ突出した複数の突起部３０と本体ケース３とが確実に接触し、回動体４の傾きが抑制され、回動時のがたつきが低減される。
【００３５】
なお、複数の突起部３０は、本体ケース３の一部であるレール部３２に接触する。レール部３２は、本体ケース３より摩擦係数が小さい樹脂材料で形成している。一例として、本体ケース３の材質は、ＡＢＳ樹脂で、レール部３２の材質は、ポリブチレンテレフタレート樹脂やポリアセタール樹脂である。
【００３６】
図８は、本発明の実施の形態１に係る送風機と支持台の外観図である。図９は、本発明の実施の形態１に係る送風機の機能構成を示す図である。
【００３７】
図８に示すように、支持台１の上部には、送風機２が置かれている。
【００３８】
送風機２は、略球体形状をなしており、球体の中心を仮想的に貫通する中心軸５１を軸中心としている。中心軸５１は球体の送風側極５２と、送風側極５２に対向する吸込側極５３とでそれぞれ点接している。なお、ここでいう略球体形状とは、一見して球体をなしているという意味であり、後述する開口部などにより一部球体表面の凹凸などで真球にならない点を考慮した表現である。つまり、真球とならない場合であっても一見して球体を成している場合には略球体形状に含まれる。
【００３９】
また、送風機２は、球体の両極（送風側極５２、吸込側極５３）と等距離の位置にて、中心軸５１と垂直な切断面５４で、略半球体状の第一フレーム５５と、同じく略半球体状の第二フレーム５６とに２等分されている。
【００４０】
第一フレーム５５は、送風側極５２を備え、中空形状を成しており、すなわち半球面構造を成す。また、第一フレーム５５には、中心軸５１に垂直な面で構成される円形の開口部５７が送風側極５２近傍に設けられている。なお、ここでいう近傍とは、厳密には送風側極５２は球の周上にあるため、開口部５７が属する平面上とは一致しないことによる表現である。従って、特に開口部５７が送風側極５２を含んでいるという表現としても差し支えない。さらに、第一フレーム５５は、送風側極５２を中心として中心軸５１の周方向に等間隔に設けられた誘引空気吸込口５８を複数個（本実施の形態１では６個）備えている。
【００４１】
開口部５７は、その内部に環状の隙間である空気吹出口５９と、この空気吹出口５９の内部に円形の開口である誘引空気吹出口６０とを備えている。
【００４２】
誘引空気吸込口５８は、同一径の円形を成しており、各円の中心は中心軸５１を中心とした同一周上（中心軸５１に垂直である同一断面上）に位置している。ただし、隣接する誘引空気吸込口５８とは接触しておらず、すなわちそれぞれ独立することにより、内部空間に後述する複数の送風路を確保している。
【００４３】
第二フレーム５６は、吸込側極５３を備え、中空形状を成しており、すなわち半球面構造を成す。また、第二フレーム５６は、吸込側極５３の周囲に空気吸込口６１を備えている。
【００４４】
送風機２は、空気吸込口６１と空気吹出口５９とを備え、空気吸込口６１と空気吹出口５９とを連通する風路には、モータ部６２によって回転する羽根部（図示せず）を設けている。
【００４５】
以上の構成の送風機２における空気の流れを説明する。モータ部６２によって羽根部が回転すると、空気吸込口６１から風路に空気が吸い込まれる。この吸い込まれた空気が、空気吹出口５９より吹き出された環状の気流となる。この環状の気流は、誘引効果によってその環状の内部の空気、すなわち誘引空気吹出口６０近傍の空気を同一方向に誘引する。
【００４６】
また、図８、９に示すように、操作スイッチ６４の一つであるランダムスイッチが押されると、モータ部６２は、制御部６３によってランダムに複数の回転数で制御され、ランダム風を作り出す。
【００４７】
仮に、図８に示す誘引空気吹出口６０が上方へ開口すると共に、中心軸がほぼ鉛直方向となり、羽根部を回転させるモータ部６２の回転軸（図示せず）が、回動体４の軸部１２と同方向に配置された場合に、羽根部の回転数が大きく減少すると、ブレーキが掛かったような慣性モーメントが働く場合がある。つまり、羽根部の回転方向と、回動体４の回転方向が同じ場合には、モータ部６２に羽根部の回転方向に対して反対方向へ回転する力が発生し、回動体４にも羽根部の回転方向に対して反対方向へ回転する力が発生する。この時に、回動体４は、羽根部の回転方向に対する反対方向、つまり回動体４の回転方向と反対方向へ回転する。なお、羽根部の回転数が大きく減少する一例とは、モータ部６２の回転数を減少させる場合の回転数が、モータ部６２の回転数を増加させる場合の回転数に比べて、同じか、それ以上の場合である。
【００４８】
これは、回動体４を回転させているモータ２１内の減速ギア、第１の歯車２２、第２の歯車２３などのバックラッシュ（遊び）分だけ、回動体４が、回動体４の回転方向と反対方向へ回転する動きである。僅かに回転するので、一瞬、回動体４が振れたように見えるか、または、回動体４が停止したかのように見える場合がある。
【００４９】
この現象を低減させる為に、制御部６３は、第１の回転数と、第１の回転数より大きい第２の回転数と、第２の回転数より大きい第３の回転数と、第３の回転数より大きい第４の回転数とを備えている。一例としては、第１の回転数は１３００ｒｐｍ、第２の回転数は１７００ｒｐｍ、第３の回転数は２１００ｒｐｍ、第４の回転数は２５００ｒｐｍである。そして、ランダムスイッチが押されると、制御部６３は、モータ部６２の回転数を増加させるときには、第１の回転数からは第２の回転数へ変化させ、第２の回転数からは第４の回転数へ変化させる。一方、回転数を減少させるときには、第４の回転数からは第３の回転数を介し第２の回転数へ変化させ、第２の回転数からは第１の回転数へ変化させる。なお、回転数を減少させるときには、第３の回転数で回転する時間は、第１の回転数、第２の回転数、第４の回転数で回転する時間に比べて短い。
【００５０】
このように、制御部６３は、ランダムにモータ部の回転数を変化させるときに、モータ部６２の回転数を減少させる場合は、モータ部６２の回転数を増加させる場合に比べて、回転数の変化が小さい。このように、羽根部の回転数の減少を小さくすると、羽根部を回転させるモータ部６２の回転軸が、回動体４の軸部１２と同方向に配置された場合にも、一瞬、回動体４が振れたように見えるか、回動体４が停止したかのように見える動きを抑制できる。
【産業上の利用可能性】
【００５１】
送風により清涼感を与えたり空間内の空気循環を促したりする送風機の支持台として有用である。
【符号の説明】
【００５２】
１    支持台
２    送風機
３    本体ケース
４    回動体
５    支持部
６    摺動部
７    底板
８    凸部
９    孔
１０    筒部
１１    孔
１２    軸部
１３    上面
１４    上面開口
１５    ベアリング
１６    側面開口
１７    スイッチ
１８    つまみ部
１９    基板部
２０    電源コード
２１    モータ
２２    第１の歯車
２３    第２の歯車
２４    スイッチシャフト
２５    回転軸
２６    中継コード
２９    第１の軸受け部
３０    突起部
３１    隙間
３２    レール部
５１    中心軸
５２    送風側極
５３    吸込側極
５４    切断面
５５    第一フレーム
５６    第二フレーム
５７    開口部
５８    誘引空気吸込口
５９    空気吹出口
６０    誘引空気吹出口
６１    空気吸込口
６２    モータ部
６３    制御部
６４    操作スイッチ
【図１】
2018003637.tif 000003
【図２】
2018003637.tif 000004
【図３】
2018003637.tif 000005
【図４】
2018003637.tif 000006
【図５】
2018003637.tif 000007
【図６】
2018003637.tif 000008
【図７】
2018003637.tif 000009
【図８】
2018003637.tif 000010
【図９】
2018003637.tif 000011